(57)【特許請求の範囲】
【請求項１】
インバータ及び冷却のためのファンを備えるインバータシステムの温度制御方法であって、
前記インバータの内部温度と前記インバータのＤＣ−リンク電圧を取得する段階と、
前記インバータの内部温度が予め設定されたファン駆動設定温度以上で、前記ＤＣ−リンク電圧が予め設定されたファン駆動設定電圧以上であれば、ファンを駆動するか駆動状態に維持するためのファン駆動制御信号を前記ファンに出力する段階と、を含む、ファン制御を利用したインバータシステムの温度制御方法。
【請求項２】
前記ファン駆動制御信号を前記ファンに出力する段階は、
前記ファンが停止した状態で前記インバータの内部温度が予め設定されたファン駆動設定温度以上で、前記ＤＣ−リンク電圧が予め設定されたファン駆動設定電圧以上であれば、ファンを駆動するためのファン駆動制御信号を前記ファンに出力する、請求項１に記載のファン制御を利用したインバータシステムの温度制御方法。
【請求項３】
前記ファン駆動制御信号を前記ファンに出力する段階は、
前記ファンが駆動された状態で前記インバータの内部温度が予め設定されたファン駆動設定温度以上で、前記ＤＣ−リンク電圧が予め設定されたファン駆動設定電圧以上であれば、前記ファンを駆動状態に維持するためのファン駆動制御信号を前記ファンに出力する、請求項１に記載のファン制御を利用したインバータシステムの温度制御方法。
【請求項４】
前記ファン駆動制御信号を前記ファンに出力する段階は、
前記インバータの内部温度が予め設定されたファン駆動設定温度以上であるか否かを判断する段階と、
判断の結果、ファン駆動設定温度以上であれば、前記ＤＣ−リンク電圧が予め設定されたファン駆動設定電圧以上であるか否かを判断する段階と、
判断の結果、ファン駆動設定電圧以上であれば、前記ファンを駆動するか駆動状態に維持するためのファン駆動制御信号を前記ファンに出力する段階と、を含む、請求項１〜３のいずれか一項に記載のファン制御を利用したインバータシステムの温度制御方法。
【請求項５】
前記ファン駆動制御信号を前記ファンに出力する段階は、
前記ファンが停止した状態で前記ＤＣ−リンク電圧が予め設定されたファン駆動設定電圧以上であれば、ファンを駆動するためのファン駆動制御信号を前記ファンに出力する、請求項４に記載のファン制御を利用したインバータシステムの温度制御方法。
【請求項６】
前記ファン駆動制御信号を前記ファンに出力する段階は、
前記ファンが駆動された状態で前記ＤＣ−リンク電圧が予め設定されたファン駆動設定電圧以上であれば、前記ファンを駆動状態に維持するためのファン駆動制御信号を前記ファンに出力する、請求項４に記載のファン制御を利用したインバータシステムの温度制御方法。
【請求項７】
前記ファン駆動制御信号を前記ファンに出力する段階は、
前記ＤＣ−リンク電圧が予め設定されたファン駆動設定電圧以上であるか否かを判断する段階と、
判断の結果、ファン駆動設定電圧以上であれば、前記インバータの内部温度が予め設定されたファン駆動設定温度以上であるか否かを判断する段階と、
判断の結果、ファン駆動設定温度以上であれば、前記ファンを駆動するか駆動状態に維持するためのファン駆動制御信号を前記ファンに出力する段階と、を含む、請求項１〜３のいずれか一項に記載のファン制御を利用したインバータシステムの温度制御方法。
【請求項８】
前記ファン駆動制御信号を前記ファンに出力する段階は、
前記ファンが停止した状態で前記インバータの内部温度が予め設定されたファン駆動設定温度以上であれば、前記ファンを駆動するためのファン駆動制御信号を前記ファンに出力する段階を含む、請求項７に記載のファン制御を利用したインバータシステムの温度制御方法。
【請求項９】
前記ファン駆動制御信号を前記ファンに出力する段階は、
前記ファンが駆動された状態で前記インバータの内部温度が予め設定されたファン駆動設定温度以上であれば、前記ファンを駆動状態に維持するためのファン駆動制御信号を前記ファンに出力する、請求項７に記載のファン制御を利用したインバータシステムの温度制御方法。
【請求項１０】
前記ファン駆動制御信号に応じて前記ファンが駆動された状態で前記インバータの内部温度が予め設定されたファン停止設定温度より低いか、前記ＤＣ−リンク電圧が予め設定されたファン停止設定電圧より低くなると、駆動中にある前記ファンを停止させるためのファン停止制御信号を前記ファンに出力する段階をさらに含む、請求項１〜９のいずれか一項に記載のファン制御を利用したインバータシステムの温度制御方法。
【請求項１１】
前記ファン停止設定温度は、前記ファン駆動設定温度より低く、前記ファン停止設定電圧は、前記ファン駆動設定電圧より低く設定されたファン制御を利用する、請求項１０に記載のインバータシステムの温度制御方法。
【発明の詳細な説明】
【技術分野】
【０００１】
本発明は、ファン制御を利用したインバータシステムの温度制御方法に関し、詳細にはインバータ電源投入後停止状態でファン制御を介してインバータ内部の対流環境を改善して、ＳＭＰＳ及び周辺部品の温度上昇を抑制するファン制御を利用したインバータシステムの温度制御方法に関する。
【背景技術】
【０００２】
インバータ（ｉｎｖｅｒｔｏｒ）とは、モータの速度及びトルクを制御できる装置である。モータの速度制御方式には様々なものがあるが、代表的な方法は、１次電圧制御方式と周波数変換方式がある。インバータは、効率制御、力率制御などに用いられ、予備電源、コンピュータ用の無停電電源、直流送電などに応用して用いることができる。
【０００３】
インバータの使用目的は、工程制御、工場自動化及びエネルギー節約を行うためである。例えば、加熱炉送風機（ｂｌｏｗｅｒ）の場合、インバータが製品の種類や生産量に応じて送風機の速度を調整することができる。インバータが、送風機の風量を調節することによって、加熱炉内の温度を最適な温度に調節できるだけでなく、製品の質的向上を図ることができる。前記のようにすることで、大きなエネルギー節減効果を得ることができる。現在、瞬時停電などが発生した場合、インバータを効率的に制御するための技術に対する研究が活発に進行している。
【０００４】
インバータは、内部にインバータ電源用ＳＭＰＳ（Ｓｗｉｔｃｈｅｄ−Ｍｏｄｅ  Ｐｏｗｅｒ  Ｓｕｐｐｌｙ）を含んでいる。ＳＭＰＳは、スイッチモードパワーサプライともいい、電力を効率的に変換させるスイッチングレギュレーターが含まれた電力供給装置である。インバータに電源が投入されて運転されない時に、ＳＭＰＳがインバータシステム内部の部品温度を上昇させる熱源となる。
【０００５】
ＳＭＰＳの温度は、ＤＣ−Ｌｉｎｋ電圧とスイッチング周波数が大きくなるほど増加する。インバータが運転を始めてファン（ｆａｎ）が駆動されると、ＳＭＰＳの負荷が増加して、インバータ内部対流が生じてＳＭＰＳによる周辺部品の温度上昇を抑制する。
【０００６】
下部のヒートシンク（Ｈｅａｔ Ｓｉｎｋ）は、インバータの出力部３レッグ（Ｌｅｇ）スイッチの過度な温度上昇を防止するが、ＳＭＰＳの温度上昇を抑制することができない。インバータが停止してファンが停止すると、ＳＭＰＳの負荷が減少して、インバータ内部対流が悪化してＳＭＰＳ及び周辺部品の温度が上昇する。
【０００７】
従来、ファンが駆動される条件は、インバータが運転状態であるかインバータ運転状態で出力部のスイッチモジュール温度が設定値以上の場合あるいは常時駆動などに区分された。
【０００８】
小容量インバータのように、内部空間が狭くて対流条件が良くない製品の場合、インバータ停止状態でＳＭＰＳによって周辺部品の温度が上昇するが、ファンを常時駆動すること以外に、部品温度の上昇を抑制できる方法がない。
【０００９】
ＳＭＰＳの負荷に応じてスイッチング周波数が変化する方式を用いた場合、ダミー（Ｄｕｍｍｙ）負荷を挿入してＳＭＰＳの温度上昇を軽減させることができるが、部品の増加で内部空間が狭い製品には適さなくその効果もまた大きくない。
【００１０】
一方、ファンを常時駆動してインバータ停止状態において部品の温度の上昇を抑制できるが、ファン駆動のための一定電力が常に消費される短所がある。
【発明の概要】
【発明が解決しようとする課題】
【００１１】
本発明が解決しようとする課題は、インバータ電源投入後停止状態においてファン制御を介してインバータ内部対流環境を改善して、ＳＭＰＳ及び周辺部品の温度上昇を抑制するファン制御を利用したインバータシステムの温度制御方法を提供することである。
【００１２】
本発明が解決しようとする課題は、以上で言及した課題に制限されず、言及されなかった他の課題は、下記から提案される実施形態が属する技術分野で通常の知識を有する者には明確に理解されるはずである。
【課題を解決するための手段】
【００１３】
本発明の一側面によると、インバータ及び冷却のためのファンを備えるインバータシステムの温度制御方法であり、インバータの内部温度とインバータのＤＣ−リンク電圧を取得する段階と、インバータの内部温度が予め設定されたファン駆動設定温度以上で、ＤＣ−リンク電圧が予め設定されたファン駆動設定電圧以上であればファンを駆動するか駆動状態に維持するためのファン駆動制御信号をファンに出力する段階と、を含むファン制御を利用したインバータシステムの温度制御方法が提供される。
【００１４】
ファン駆動制御信号をファンに出力する段階は、ファンが停止した状態でインバータの内部温度が予め設定されたファン駆動設定温度以上で、ＤＣ−リンク電圧が予め設定されたファン駆動設定電圧以上であればファンを駆動するためのファン駆動制御信号をファンに出力することができる。
【００１５】
ファン駆動制御信号をファンに出力する段階は、ファンが駆動された状態でインバータの内部温度が予め設定されたファン駆動設定温度以上で、ＤＣ−リンク電圧が予め設定されたファン駆動設定電圧以上であればファンを駆動状態に維持するためのファン駆動制御信号をファンに出力することができる。
【００１６】
ファン駆動制御信号をファンに出力する段階は、インバータの内部温度が予め設定されたファン駆動設定温度以上であるか否かを判断する段階と、判断結果、ファン駆動設定温度以上であればＤＣ−リンク電圧が予め設定されたファン駆動設定電圧以上であるか否かを判断する段階と、判断結果、ファン駆動設定電圧以上であればファンを駆動するか駆動状態に維持するためのファン駆動制御信号をファンに出力する段階と、を含んでもよい。
【００１７】
ファン駆動制御信号をファンに出力する段階は、ファンが停止した状態でＤＣ−リンク電圧が予め設定されたファン駆動設定電圧以上であればファンを駆動するためのファン駆動制御信号をファンに出力することができる。
【００１８】
ファン駆動制御信号をファンに出力する段階は、ファンが駆動された状態でＤＣ−リンク電圧が予め設定されたファン駆動設定電圧以上であればファンを駆動状態に維持するためのファン駆動制御信号をファンに出力することができる。
【００１９】
ファン駆動制御信号をファンに出力する段階は、ＤＣ−リンク電圧が予め設定されたファン駆動設定電圧以上であるか否かを判断する段階と、判断の結果、ファン駆動設定電圧以上であればインバータの内部温度が予め設定されたファン駆動設定温度以上であるか否かを判断する段階と、判断の結果、ファン駆動設定温度以上であればファンを駆動するか駆動状態に維持するためのファン駆動制御信号をファンに出力する段階と、を含んでもよい。
【００２０】
ファン駆動制御信号をファンに出力する段階は、ファンが停止した状態でインバータの内部温度が予め設定されたファン駆動設定温度以上であればファンを駆動するためのファン駆動制御信号をファンに出力する段階を含んでもよい。
【００２１】
ファン駆動制御信号をファンに出力する段階は、ファンが駆動された状態でインバータの内部温度が予め設定されたファン駆動設定温度以上であればファンを駆動状態に維持するためのファン駆動制御信号をファンに出力することができる。
【００２２】
ファン制御を利用したインバータシステムの温度制御方法は、ファン駆動制御信号に応じてファンが駆動された状態でインバータの内部温度が予め設定されたファン停止設定温度より低いか、ＤＣ−リンク電圧が予め設定されたファン停止設定電圧より低くなると駆動中のファンを停止させるためのファン停止制御信号をファンに出力する段階をさらに含んでもよい。
【００２３】
ファン停止設定温度は、ファン駆動設定温度より低く、ファン停止設定電圧は、ファン駆動設定電圧より低く設定されてもよい。
【発明の効果】
【００２４】
本発明によると、インバータに電源が投入されて長時間停止状態にある場合、ファン制御を介してインバータ内部対流条件を改善して、ＳＭＰＳ及び周辺部品の温度上昇を抑制することができる。インバータ停止状態でインバータのＤＣ−リンク電圧と内部温度を制御要素を用いてファンを駆動させると、常時ファンを駆動することよりも効率的に部品温度の上昇を抑制することができる。
【図面の簡単な説明】
【００２５】
【図１】本発明の一実施形態に係るインバータシステムの構成ブロック図である。
【図２】本発明の一実施形態に係るインバータシステムでファン駆動設定温度とファン停止設定温度を説明するための図である。
【図３】本発明の一実施形態に係るファン制御を利用したインバータシステムの温度制御方法を説明するためのフローチャートである。
【図４】本発明の一実施形態に係るファン制御を利用したインバータシステムの温度制御方法を説明するためのフローチャートであり、ファンが停止した状態で図３で説明したインバータシステムの温度制御方法を適用した例である。
【図５】本発明の一実施形態に係るファン制御を利用したインバータシステムの温度制御方法を説明するためのフローチャートであり、ファンが駆動された状態で図３で説明したインバータシステムの温度制御方法を適用した例である。
【図６】本発明の他の一実施形態に係るファン制御を利用したインバータシステムの温度制御方法を説明するためのフローチャートである。
【図７】本発明の他の一実施形態に係るファン制御を利用したインバータシステムの温度制御方法を説明するためのフローチャートであり、ファンが停止した状態で図６で説明したインバータシステムの温度制御方法を適用した例である。
【図８】本発明の他の一実施形態に係るファン制御を利用したインバータシステムの温度制御方法を説明するためのフローチャートであり、ファンが駆動された状態で図６で説明したインバータシステムの温度制御方法を適用した例である。
【発明を実施するための形態】
【００２６】
以下では、本発明の具体的な実施形態を図面と共に詳細に説明する。しかし、本発明の思想が、提示される実施形態に制限されるとは言えず、さらに他の構成要素の追加、変更、削除などによって退歩的な他の発明や、本発明思想の範囲内に含まれる他の実施形態を容易に提案することができる。
【００２７】
本発明で使われる用語は、可能である限り現在広く使われる一般的な用語を選択したが、特定の場合は、出願人が任意に選定した用語もあり、この場合、該当する発明の説明の部分で詳細にその意味を記載したので、単に用語の名称でなく用語が持つ意味として本発明を把握すべきであるとを明かしておく。
【００２８】
すなわち、以下の説明において、単語「含む」は、列挙されたのと他の構成要素または段階の存在を排除しない。
【００２９】
図１は、本発明の一実施形態に係るインバータシステムの構成ブロック図である。
【００３０】
図１を参照すると、本発明の一実施形態に係るインバータシステム１００は、インバータ１１０、ＳＭＰＳ１２０、ＤＣ−リンク部１３０、ヒートシンク１４０、ファン１５０、及び制御部１６０を含んで構成されてもよい。
【００３１】
ＳＭＰＳ（Ｓｗｉｔｃｈｅｄ−Ｍｏｄｅ Ｐｏｗｅｒ Ｓｕｐｐｌｙ）１２０は、インバータ１１０に電力を供給し、供給される電力を効率的に変換させるスイッチングレギュレーターを含んでもよい。ＳＭＰＳ１２０は、インバータ１１０に電源が投入された状態で運転されない時インバータ内部の部品温度を上昇させる熱源となりうる。ＳＭＰＳ１２０の温度は、ＤＣ−Ｌｉｎｋ電圧とスイッチング周波数が大きくなるほど増加する。
【００３２】
ＳＭＰＳ１２０は、負荷に応じたスイッチング周波数が可変型であるＳＭＰＳを用いてもよい。
【００３３】
ファン１５０が駆動されると、ＳＭＰＳ１２０の負荷が増加するにつれ、負荷に応じたスイッチング周波数可変型ＳＭＰＳを用いる場合、追加的な温度上昇抑制効果が期待できる。
【００３４】
ＳＭＰＳ１２０の負荷に応じてスイッチング周波数が変更可能である方式の場合、ファン駆動電力がＳＭＰＳ１２０の負荷になってスイッチング周波数を小さくして追加でＳＭＰＳ１２０の温度上昇を抑制することができる。
【００３５】
ＤＣ−リンク部１３０は、インバータ１１０に供給されて整流された交流電源を直流電源に生成して、整流された電源に対する平滑機能のためのコンデンサを含んで構成される。
【００３６】
ヒートシンク１４０は、インバータ１１０またはＳＭＰＳ１２０の下部または隣接して設置されて、インバータ１１０またはＳＭＰＳ１２０の温度上昇を防ぐ。
【００３７】
ファン１５０は、インバータ１１０及びＳＭＰＳ１２０により発生する温度上昇を防いで、冷却のための対流の流れを生成するために設置されている。ファン１５０は、制御部１６０のファン駆動制御信号により駆動されて、ファン停止制御信号により停止する。
【００３８】
制御部１６０は、インバータ１１０に電源を印加した後、ファン１５０を駆動させるか駆動されたファン１５０を駆動状態に維持するためのファン駆動制御信号をファン１５０に出力したり、駆動中のファン１５０を停止させるか停止中のファン１５０を停止状態に維持するためのファン停止制御信号をファン１５０に出力する。
【００３９】
制御部１６０は、ファン１５０の駆動を決める制御要素であり、インバータ１１０の内部温度とＤＣ−リンク部１３０のＤＣ−リンク電圧を用いることができる。
【００４０】
制御部１６０は、インバータ１１０の内部温度と比較して停止中のファン１５０を駆動させるためのファン駆動設定温度を有している。制御部１６０は、インバータ１１０で測定されたインバータ１１０の内部温度がファン駆動設定温度以上であれば、ファン１５０を駆動させるための第１条件を満たすと判断することができる。
【００４１】
制御部１６０は、ＤＣ−リンク電圧と比較して停止中のファン１５０を駆動させるためのファン駆動設定電圧を有している。制御部１６０は、ＤＣ−リンク部１３０で測定されたＤＣ−リンク電圧がファン駆動設定電圧以上であれば、ファン１５０を駆動させるための第２条件を満たすと判断することができる。
【００４２】
制御部１６０は、第１条件と第２条件を共に満たす場合、すなわちインバータ内部温度とＤＣ−リンク電圧が各々ファン駆動設定温度とファン駆動設定電圧以上になると、ファン１５０を駆動するための制御信号をファン１５０に出力する。
【００４３】
制御部１６０から出力されたファン駆動制御信号によってファン１５０が駆動されると、インバータ内部対流が生じて、ＳＭＰＳ１２０及び周辺部品の温度上昇を抑制することができる。
【００４４】
制御部１６０は、ファン１５０の駆動または停止を決めるためにファン駆動設定温度及びファン駆動設定電圧以外にもファン停止設定温度及びファン停止設定電圧を有している。
【００４５】
制御部１６０は、インバータ１１０の内部温度がファン停止設定温度より低くなるかＤＣ−リンク電圧がファン停止設定電圧より低くなると、ファン１５０を停止させるための停止制御信号をファン１５０に出力する。
【００４６】
ここで、ファン停止設定温度は、ファン駆動設定温度より低く設定することによって、ファン１５０の駆動／停止動作が頻繁に繰り返されるのを防止することができる。
【００４７】
インバータ１１０の内部温度がファン駆動設定温度以上となりＤＣ−リンク電圧がファン駆動設定電圧以上になると、ファン１５０が駆動される。ファン１５０の駆動を介してインバータ１１０内部対流環境が改善されるにつれ、インバータ１１０の停止状態で部品温度の上昇を効果的に抑制することができる。
【００４８】
図２は、本発明の一実施形態に係るインバータシステムでファン駆動設定温度とファン停止設定温度を説明するための図である。
【００４９】
図２を参照すると、ファン停止設定温度（Ｔｓ）は、ファン駆動設定温度（Ｔｄ）より低く設定されている。
【００５０】
ファン１５０が停止した状態でインバータ１１０の内部温度（Ｔｉ）がファン駆動設定温度（Ｔｄ）以上になる第１時点（Ｔｄ）になると、制御部１６０はＤＣ−リンク電圧がファン駆動設定電圧以上であるか否かを判断して、ファン駆動設定電圧以上の場合には停止状態にあるファン１５０を駆動させるためのファン駆動制御信号をファン１５０に出力する。
【００５１】
一方、制御部１６０は第１時点（ｔｄ）が経過してファン１５０が駆動された状態でインバータ１１０の内部温度（Ｔｉ）がファン停止設定温度（Ｔｓ）より低くなる第２時点（ｔｓ）になると、駆動状態にあるファン１５０を停止させるためのファン停止制御信号をファン１５０に出力する。もちろん、制御部１６０は、第１時点（ｔｄ）が経過してファン１５０が駆動された状態でインバータ１１０の内部温度（Ｔｉ）がファン停止設定温度（Ｔｓ）より低くなる第２時点（ｔｓ）に達しなくても、ＤＣ−リンク電圧がファン停止設定電圧より低くなる時点になると、駆動状態にあるファン１５０を停止させるためのファン停止制御信号をファン１５０に出力する。
【００５２】
図３は、本発明の一実施形態に係るファン制御を利用したインバータシステムの温度制御方法を説明するためのフローチャートである。
【００５３】
図３を参照すると、制御部１６０は、インバータ１１０の内部温度とＤＣ−リンク電圧を取得する（Ｓ１）。
【００５４】
制御部１６０は、インバータ１１０の内部温度がファン駆動設定温度以上で、ＤＣ−リンク電圧がファン駆動設定電圧以上であるか否かを判断する（Ｓ２）。
【００５５】
Ｓ２段階の判断の結果、インバータ１１０の内部温度がファン駆動設定温度以上で、ＤＣ−リンク電圧がファン駆動設定電圧以上の条件を満たす場合、制御部１６０は、ファン１５０が駆動中であるか否かを判断する（Ｓ３）。
【００５６】
判断の結果、ファンが駆動中でなければ、制御部１６０は、ファン１５０を駆動させるためにファン駆動制御信号をファン１５０に出力する（Ｓ４）。
【００５７】
一方、Ｓ２段階の判断の結果、インバータ１１０の内部温度がファン駆動設定温度以上で、ＤＣ−リンク電圧がファン駆動設定電圧以上の条件を満たさなければ、制御部１６０は、インバータの内部温度がファン停止設定温度より低いか、ＤＣ−リンク電圧がファン停止設定電圧より低いかを判断する（Ｓ５）。
【００５８】
Ｓ５段階の判断結果、二つの条件中一つを満たすと、制御部１６０は、ファンが停止中であるか否かを判断する（Ｓ６）。
【００５９】
Ｓ６段階の判断結果、ファンが停止中でなければ、制御部１６０は、駆動中のファン１５０を停止させるためのファン停止制御信号をファン１５０に出力する（Ｓ７）。
【００６０】
図４は、本発明の一実施形態に係るファン制御を利用したインバータシステムの温度制御方法を説明するためのフローチャートであり、ファンが停止した状態で図３で説明したインバータシステムの温度制御方法を適用した例である。
【００６１】
図４を参照すると、ファン１５０が停止した状態（Ｓ１１）で制御部１６０はインバータ１１０の内部温度とＤＣ−リンク電圧を取得する（Ｓ１２）。
【００６２】
制御部１６０は、インバータ１１０の内部温度がファン駆動設定温度以上で、ＤＣ−リンク電圧がファン駆動設定電圧以上か否かを判断する（Ｓ１３）。
【００６３】
Ｓ１３段階の判断結果、インバータ１１０の内部温度がファン駆動設定温度以上で、ＤＣ−リンク電圧がファン駆動設定電圧以上の条件を満たす場合、制御部１６０は、停止している状態のファン１５０を駆動させるためにファン駆動制御信号をファン１５０に出力する（Ｓ１４）。
【００６４】
一方、Ｓ１３段階の判断の結果、インバータ１１０の内部温度がファン駆動設定温度以上で、ＤＣ−リンク電圧がファン駆動設定電圧以上の条件を満たさなければ、制御部１６０はファン１５０を停止した状態に維持する（Ｓ１５）。
【００６５】
図５は、本発明の一実施形態に係るファン制御を利用したインバータシステムの温度制御方法を説明するためのフローチャートであり、ファンが駆動された状態で図３で説明したインバータシステムの温度制御方法を適用した例である。
【００６６】
図５を参照すると、ファン１５０が駆動された状態（Ｓ２１）で制御部１６０はインバータ１１０の内部温度とＤＣ−リンク電圧を取得する（Ｓ２２）。
【００６７】
制御部１６０は、インバータ１１０の内部温度がファン駆動設定温度以上で、ＤＣ−リンク電圧がファン駆動設定電圧以上か否かを判断する（Ｓ２３）。
【００６８】
Ｓ２３段階の判断の結果、インバータ１１０の内部温度がファン駆動設定温度以上で、ＤＣ−リンク電圧がファン駆動設定電圧以上の条件を満たす場合、制御部１６０は、ファン１５０が駆動された状態を維持するためのファン駆動制御信号をファン１５０に出力する（Ｓ２４）。
【００６９】
一方、Ｓ２３段階の判断の結果、インバータ１１０の内部温度がファン駆動設定温度以上で、ＤＣ−リンク電圧がファン駆動設定電圧以上の条件を満たさなければ、制御部１６０は、インバータの内部温度がファン停止設定温度より低いか、ＤＣ−リンク電圧がファン停止設定電圧より低いかを判断する（Ｓ２５）。
【００７０】
Ｓ２５段階の判断の結果、二つの条件中一つでも満たすと、制御部１６０は駆動中のファン１５０を停止させるためのファン停止制御信号をファン１５０に出力する（Ｓ２６）。
【００７１】
Ｓ２５段階の判断の結果、二つの条件中一つも満たさなければ、制御部１６０は、ファン１５０が駆動された状態を維持するためのファン駆動制御信号をファン１５０に出力する（Ｓ２４）。
【００７２】
図６は、本発明の他の一実施形態に係るファン制御を利用したインバータシステムの温度制御方法を説明するためのフローチャートである。
【００７３】
図６を参照すると、制御部１６０はインバータ１１０の内部温度とＤＣ−リンク電圧を取得する（Ｓ３１）。
【００７４】
制御部１６０は、インバータ１１０の内部温度がファン駆動設定温度以上であるか否かを判断する（Ｓ３２）。
【００７５】
Ｓ３２段階の判断の結果、インバータ１１０の内部温度がファン駆動設定温度以上であれば、制御部１６０は、ＤＣ−リンク電圧がファン駆動設定電圧以上であるか否かを判断する（Ｓ３３）。
【００７６】
Ｓ３３段階の判断の結果、ＤＣ−リンク電圧がファン駆動設定電圧以上であれば、制御部１６０は、ファン１５０が駆動中であるか否かを判断する（Ｓ３４）。
【００７７】
判断の結果、ファンが駆動中でなければ、制御部１６０はファン１５０を駆動させるためにファン駆動制御信号をファン１５０に出力する（Ｓ３５）。
【００７８】
一方、Ｓ３２段階の判断の結果、インバータ１１０の内部温度がファン駆動設定温度以上でなければ、制御部１６０は、インバータ１１０の内部温度がファン停止設定温度以上であるか否かを判断する（Ｓ３６）。
【００７９】
Ｓ３６段階の判断の結果、インバータ１１０の内部温度がファン停止設定温度以上でなければ、制御部１６０は、ファン１５０が停止中であるか否かを判断する（Ｓ３８）。
【００８０】
Ｓ３８段階の判断の結果、ファン１５０が停止中でなければ、制御部１６０は駆動中のファン１５０を停止させるためのファン停止制御信号をファン１５０に出力する（Ｓ３９）。
【００８１】
一方、Ｓ３３段階の判断の結果、ＤＣ−リンク電圧がファン駆動設定電圧以上でなければ、制御部１６０は、ＤＣ−リンク電圧がファン停止設定電圧以上であるか否かを判断する（Ｓ３７）。
【００８２】
Ｓ３７段階の判断の結果、ＤＣ−リンク電圧がファン駆動設定電圧以上の条件を満たさなければ、制御部１６０は、ファン１５０が停止中であるか否かを判断する（Ｓ３８）。
【００８３】
Ｓ３８段階の判断の結果、ファン１５０が停止中でなければ、制御部１６０は駆動中のファン１５０を停止させるためのファン停止制御信号をファン１５０に出力する（Ｓ３９）。
【００８４】
図７は、本発明の他の一実施形態に係るファン制御を利用したインバータシステムの温度制御方法を説明するためのフローチャートであり、ファンが停止した状態で図６で説明したインバータシステムの温度制御方法を適用した例である。
【００８５】
図７を参照すると、ファン１５０が停止した状態（Ｓ４１）で、制御部１６０はインバータ１１０の内部温度とＤＣ−リンク電圧を取得する（Ｓ４２）。
【００８６】
制御部１６０は、インバータ１１０の内部温度がファン駆動設定温度以上であるか否かを判断する（Ｓ４３）。
【００８７】
Ｓ４３段階の判断の結果、インバータ１１０の内部温度がファン駆動設定温度以上であれば、制御部１６０は、ＤＣ−リンク電圧がファン駆動設定電圧以上であるか否かを判断する（Ｓ４４）。
【００８８】
Ｓ４４段階の判断の結果、ＤＣ−リンク電圧がファン駆動設定電圧以上であれば、制御部１６０は停止状態のファン１５０を駆動させるためにファン駆動制御信号をファン１５０に出力する（Ｓ４５）。
【００８９】
Ｓ４４段階の判断の結果、ＤＣ−リンク電圧がファン駆動設定電圧以上の場合でなければ、制御部１６０は、ファン１５０が停止状態を維持させるためのファン停止制御信号をファン１５０に出力する（Ｓ４７）。
【００９０】
一方、Ｓ４３段階の判断の結果、インバータ１１０の内部温度がファン駆動設定温度以上でなければ、制御部１６０は、インバータ１１０の内部温度がファン停止設定温度以上であるか否かを判断する（Ｓ４６）。
【００９１】
Ｓ４６段階の判断の結果、インバータ１１０の内部温度がファン停止設定温度以上でなければ、制御部１６０は、ファン１５０が停止状態を維持するようにするためのファン停止制御信号をファン１５０に出力する（Ｓ４７）。
【００９２】
一方、Ｓ４６段階の判断の結果、インバータ１１０の内部温度がファン停止設定温度以上であればＳ４４段階に移行する。
【００９３】
図８は、本発明の他の一実施形態に係るファン制御を利用したインバータシステムの温度制御方法を説明するためのフローチャートであり、ファンが駆動された状態で図６で説明したインバータシステムの温度制御方法を適用した例である。
【００９４】
図８を参照すると、ファン１５０が駆動された状態（Ｓ５１）で制御部１６０はインバータ１１０の内部温度とＤＣ−リンク電圧を取得する（Ｓ５２）。
【００９５】
制御部１６０は、インバータ１１０の内部温度がファン駆動設定温度以上であるか否かを判断する（Ｓ５３）。
【００９６】
Ｓ５３段階の判断の結果、インバータ１１０の内部温度がファン駆動設定温度以上であれば、制御部１６０は、ＤＣ−リンク電圧がファン駆動設定電圧以上であるか否かを判断する（Ｓ５４）。
【００９７】
Ｓ５４段階の判断の結果、ＤＣ−リンク電圧がファン駆動設定電圧以上であれば、制御部１６０は駆動されたファン１５０を維持させるためのファン駆動制御信号をファン１５０に出力する（Ｓ５５）。
【００９８】
一方、Ｓ５３段階の判断の結果、インバータ１１０の内部温度がファン駆動設定温度以上でなければ、制御部１６０は、インバータ１１０の内部温度がファン停止設定温度以上であるか否かを判断する（Ｓ５６）。
【００９９】
Ｓ５６段階の判断の結果、インバータ１１０の内部温度がファン停止設定温度以上であれば、Ｓ５４段階に移行する。
【０１００】
Ｓ５６段階の判断の結果、インバータ１１０の内部温度がファン停止設定温度以上でなければ、制御部１６０は駆動中のファン１５０を停止させるためのファン停止制御信号をファン１５０に出力する（Ｓ５８）。
【０１０１】
一方、Ｓ５４段階の判断の結果、ＤＣ−リンク電圧がファン駆動設定電圧以上ではなければ、制御部１６０は、ＤＣ−リンク電圧がファン停止設定電圧以上であるか否かを判断する（Ｓ５７）。
【０１０２】
Ｓ５７段階の判断の結果、ＤＣ−リンク電圧がファン停止設定電圧以上の条件を満たさなければ、制御部１６０は駆動中のファン１５０を停止させるためのファン停止制御信号をファン１５０に出力する（Ｓ５８）。
【０１０３】
Ｓ５７段階の判断の結果、ＤＣ−リンク電圧がファン停止設定電圧以上の条件を満たすと、制御部１６０は、ファン１５０が駆動された状態を維持するためのファン駆動制御信号をファン１５０に出力する（Ｓ５５）。
【０１０４】
今まで本発明に係る具体的な実施形態に関して説明したが、本発明の範囲から逸脱しない限度内では多様な変形が可能であることはいうまでもない。従って、本発明の範囲は説明された実施形態に限定されて定まってはならなく、後述する特許請求の範囲だけでなくこの特許請求の範囲と均等物等によって定まらなければならない。
【０１０５】
例えば、本発明の一実施形態では、ファン駆動制御信号をファンに出力する段階が、インバータの内部温度が予め設定されたファン駆動設定温度以上であるか否かを判断して、判断の結果、ファン駆動設定温度以上であれば、ＤＣ−リンク電圧が予め設定されたファン駆動設定電圧以上であるか否かを判断して、判断の結果、ファン駆動設定電圧以上であれば、ファンを駆動するか駆動状態に維持するためのファン駆動制御信号をファンに出力するものとして具現されている。
【０１０６】
本発明の変形されたさらに他の実施形態では、ファン駆動制御信号をファンに出力する段階がＤＣ−リンク電圧が予め設定されたファン駆動設定電圧以上であるか否かを判断して、判断結果、ファン駆動設定電圧以上であれば、インバータの内部温度が予め設定されたファン駆動設定温度以上であるか否かを判断して、判断結果、ファン駆動設定温度以上であれば、ファンを駆動するか駆動状態に維持するためのファン駆動制御信号をファンに出力するものとして具現されてもよい。
【符号の説明】
【０１０７】
１００    インバータシステム
１１０    インバータ
１２０    ＳＭＰＳ
１３０    ＤＣ−リンク部
１４０    ヒートシンク
１５０    ファン
１６０    制御部
【図１】
0006027191.tif 000002
【図２】
0006027191.tif 000003
【図３】
0006027191.tif 000004
【図４】
0006027191.tif 000005
【図５】
0006027191.tif 000006
【図６】
0006027191.tif 000007
【図７】
0006027191.tif 000008
【図８】
0006027191.tif 000009